(57)【要約】      （修正有）【課題】スピーディーな着脱とゴム紐の締付けによる不快感をなくすと共にマスク着用者の顔面にマスク本体がフィットし、且つ、一時的に外したマスクをテーブルの上に立てて置くことが出来ると共に、耳掛けアームや紐掛けアームの長さを伸縮可能とし、大きい顔、小さい顔、長い顔、或いは大人用、子供用のいずれに於いても着用が可能となるマスク用耳掛け部材を提供する。【解決手段】マスク用耳掛け部材は、マスク５の耳掛け紐５２を巻き付けてマスク本体５１の上下方向に配置する一対の紐掛けアーム１と、紐掛けアーム１の基部１１に回動可能に軸支すると共に耳に掛けるための一対の耳掛けアーム２とから少なくとも構成する。また耳掛けアーム２や紐掛けアーム１の中間部に、長さを可変するための伸縮手段３を設けるのが好ましい。【選択図】図１
0003229630.tif 000002
【実用新案登録請求の範囲】
【請求項１】
マスク本体（51）の左右側部に耳掛け紐（52）を有するマスク（５）に取付けて使用するものであって、前記耳掛け紐（52）を巻き付けて前記マスク本体（51）の上下方向に配置する一対の紐掛けアーム（１）と、該紐掛けアーム（１）の基部（11）に回動可能に軸支すると共に耳に掛けるための一対の耳掛けアーム（２）とから少なくとも構成したことを特徴とするマスク用耳掛け部材。
【請求項２】
前記耳掛けアーム（２）の中間部（23）に、長さを可変するための伸縮手段（３）が設けられた請求項１記載のマスク用耳掛け部材。
【請求項３】
前記紐掛けアーム（１）の中間部（13）に、長さを可変するための伸縮手段（３）が設けられた請求項１記載のマスク用耳掛け部材。
【請求項４】
前記紐掛けアーム（１）の基部（11）と端部（12）に、前記耳掛け紐（52）を巻き付けるための溝（11a）,（12a）が設けられ、且つ、前記耳掛けアーム（２）の端部（22）が、円環状に形成された請求項１記載のマスク用耳掛け部材。
【請求項５】
マスク本体（51）の左右側部に耳掛け紐（52）を有するマスク（５）に取付けて使用するものであって、前記耳掛け紐（52）を巻き付けて前記マスク本体（51）の上下方向に配置する一対の紐掛けアーム（１）と、該紐掛けアーム（１）の基部（11）に回動可能に軸支すると共に耳に掛けるための一対の耳掛けアーム（２）とから構成し、且つ、一対の前記耳掛けアーム（２）が、右用アーム（2R）と、左用アーム（2L）とから構成されると共に、前記右用アーム（2R）の端部（22R）には係止溝（22Ra）を設け、前記左用アーム（2L）の端部（22L）には、前記係止溝（22Ra）に係止する係止溝（22La）を設け、更に少なくとも、前記右用アーム（2R）と前記左用アーム（2L）の中間部（23R）,(23L)に、長さを可変するための伸縮手段（３）が設けられたことを特徴とするマスク用耳掛け部材。
【考案の詳細な説明】
【技術分野】
【０００１】
本考案はマスク用耳掛け部材に関する。
【背景技術】
【０００２】
従来のマスクは、平面状マスクや、マスク本体に横方向に伸びる折りひだ部を縦方向に間隔を置いて複数形成し、少なくとも各折りひだ部の左右両端部を熱溶着などで縦方向に接着し、マスク着用時に各折りひだ部を縦方向に広げて立体化するマスク、及び立体型のマスクなど使い捨てマスクが多く市販されている。又、従来のマスクのゴム輪状の耳掛紐の長さは一定であるので、１つのサイズのマスクでは、大きい顔、小さい顔、長い顔、短い顔、やせた人、太った人などのすべての人に対応するマスクはなく、且つ、大人用と子供用を兼用するマスクもなかった。このため、既成サイズの耳掛け間隔がマスク着用者の顔サイズに合わない場合が多々あり、このような場合にはマスク本体を着用者の顔面にフィットした状態に着用できず、マスク本体と顔面との間に隙間ができる弊害もあった。しかも、マスクを使用する際、ゴム紐の締付けによる不快感やゴム紐の締付けが強いと、耳が痛くなる場合も生じていた。
【０００３】
このため、耳掛け紐を着脱可能に取付けるマスク、或いは耳掛け紐の長さが調節可能なマスクが、特開２００５−１４３８６０号や実用新案登録第３１２５１４７号で提案されている。特開２００５−１４３８６０号は、使用目的や場所に応じて、マスク本体を異なる種類の生地や厚みのものにしたり、或いは自分の好みの柄や色にしたりすることが可能なものにするために、マスク本体の左右側部に耳に掛けるための耳掛け紐を着脱可能に取付け、該耳掛け紐にはマスク本体の左右側部に着脱可能な取付具（クリップ）を有したものである。更に長さ調節具が記載されている。
一方、実用新案登録第３１２５１４７号は、装着性、ファッション性を向上させるために、マスク本体と耳掛紐を着脱可能としたものであり、その構成は、両端の上下四隅の所定箇所にボタンホールを開けたマスク本体と、両端にボタンを縫付けた伸縮性を有する２本の耳掛紐を備え、１本の耳掛紐のボタンを前記マスク本体の四隅の所定箇所のうち左右いずれか一方の側のボタンホールに装着し、別の１本の耳掛紐のボタンをマスク本体の他方の側のボタンホールに装着して着脱可能にしたものである。又、長さが異なるものを複数本揃えて置くことが記載されている。
【０００４】
また昨今、新型コロナウイルスや花粉等の各種異物の吸引を防ぐために、不織布からなるマスクを日常的に常時着用する人が激増している。しかし、着用していても食事の時や重要な面談の時には、一時的に外すことになり、外したマスクは、ちり紙やハンカチで包み、それをスーツなどのポケットに入れたり、或いはそのままバッグや机に入れたりして対応している場合が多かった。このため、マスクケースが市販されている。
【先行技術文献】
【特許文献】
【０００５】
【特許文献１】特開２００５−１４３８６０号公報
【特許文献２】実用新案登録第３１２５１４７号公報
【考案の概要】
【考案が解決しようとする課題】
【０００６】
しかしながら、特開２００５−１４３８６０号は、耳掛け紐にはマスク本体の左右側部に着脱可能な取付具（クリップ）を有したものであるため、前記クリップが着用者の顔側部に当たって違和感を与える弊害があった。一方、実用新案登録第３１２５１４７号は、耳掛紐の長さが一定であるため、複数本の長さのものを揃える必要があり、使用しない長さの耳掛紐が多く生じてしまう。しかも、耳掛紐を交換する場合には、ボタンを外し、新たな耳掛紐ボタンをボタンホールに装着しなければならないので、耳掛紐の交換に手間が掛かっていた。
又、特開２００５−１４３８６０号や実用新案登録第３１２５１４７号では、食事の時や重要な面談の時に、一時的に外したマスクを衛生的に対処させるためには、ちり紙やハンカチ或いはマスクケース等が必要であった。更に特開２００５−１４３８６０号の耳掛け紐が特殊なものであるため、市販の使い捨てマスクに取付けると、ゴム紐が邪魔になり、そのままゴム紐をマスク本体側に押し込むと、そのゴム紐が顔に当たり、感触が悪く且つ顔面とフィットしないものになってしまう恐れがあった。また実用新案登録第３１２５１４７号の耳掛紐はマスク本体専用であるので、市販の使い捨てマスクに取付けることはできないものである。
【０００７】
本考案はスピーディーな着脱とゴム紐の締付けによる不快感をなくすと共にマスク着用者の顔面にマスク本体がフィットし、且つ、一時的に外したマスクをテーブルの上に立てて置くことが出来るマスク用耳掛け部材を提供することを目的とする。
【０００８】
本考案の別の目的は、耳掛けアームや紐掛けアームの長さを伸縮可能とし、大きい顔、小さい顔、長い顔、短い顔、やせた人、太った人、或いは大人用、子供用のいずれに於いても快適に着用できるものとなり、且つ、一時的に外したマスクをテーブルの上に立てて置くことがより安定して出来るマスク用耳掛け部材を提供することにある。
【課題を解決するための手段】
【０００９】
本考案は上記現状に鑑みて成されたものであり、つまり、マスク本体の左右側部に取付けて使用するものであって、マスクの耳掛け紐を巻き付けてマスク本体の上下方向に配置する一対の紐掛けアームと、該紐掛けアームの基部に回動可能に軸支すると共に耳に掛けるための一対の耳掛けアームとから少なくとも構成する。また耳掛けアームや紐掛けアームの中間部に、長さを可変するための伸縮手段が設けられたものとするのが好ましく、更に紐掛けアームの基部と端部に、耳掛け紐を巻き付けるための溝が設けられ、且つ、耳掛けアームの端部を円環状に形成するのが良い。
【００１０】
別考案としては、マスク本体の左右側部に取付けて使用するものであり、マスクの耳掛け紐を巻き付けてマスク本体の上下方向に配置する一対の紐掛けアームと、該紐掛けアームの基部に回動可能に軸支すると共に耳に掛けるための一対の耳掛けアームとから少なくとも構成し、且つ、一対の耳掛けアームを、右用アームと、左用アームとから構成させ、尚且つ、右用アームの端部には係止溝を設け、左用アームの端部には、前記係止溝に係止する係止溝を設け、更に少なくとも、右用アームと左用アームの中間部に、長さを可変するための伸縮手段が設けられるものとする。
【考案の効果】
【００１１】
請求項１のようにマスク本体（51）の左右側部に耳掛け紐（52）を有するマスク（５）に取付けて使用するものであって、耳掛け紐（52）を巻き付けて前記マスク本体（51）の上下方向に配置する一対の紐掛けアーム（１）と、該紐掛けアーム（１）の基部（11）に回動可能に軸支すると共に耳に掛けるための一対の耳掛けアーム（２）とから少なくとも構成することにより、スピーディーな着脱とゴム紐の締付けによる不快感を軽減すると共にマスク着用者の顔面にマスク本体がフィットし、且つ、一時的に外したマスクをテーブルの上に立てて置くことが出来る。このため、マスクの着脱回数が多い職業の人や、長時間マスクを着用しなければならない職業で医療関係者以外の人、更には喫煙者、などが利用すると重宝なものとなる。
【００１２】
請求項２のように耳掛けアーム（２）の中間部（23）に、長さを可変するための伸縮手段（３）が設けられることにより、耳掛けアーム（２）の長さを伸縮可能とし、大きい顔、小さい顔、長い顔、短い顔、やせた人、太った人、などのいずれの人に於いても着用できるものとなり、且つ、マスク着用者の顔面にマスク本体（51）がフィットし易くなる。
【００１３】
請求項３に示すように紐掛けアーム（１）の中間部（13）に、長さを可変するための伸縮手段（３）が設けられることにより、紐掛けアーム（１）の長さが伸縮可能となるため、大人用でも子供用でも着用できるものとなり、且つ、マスク着用者の顔面にマスク本体（51）がフィットし易くなる。
【００１４】
請求項４に示すように紐掛けアーム（１）の基部（11）と端部（12）に、耳掛け紐（52）を巻き付けるための溝（11a）,（12a）が設けられ、且つ、耳掛けアーム（２）の端部（22）を円環状に形成させることにより、耳掛け紐（52）の巻き付け作業が簡単になると共に、端部（22）の円環状に紐を取付けておくと、マスク（５）を外した時に、首に掛けられるものとなるため、マスク（５）の着脱回数が多い職業の人には重宝なものとなる。
【００１５】
請求項５のようにマスク本体（51）の左右側部に耳掛け紐（52）を有するマスク（５）に取付けて使用する際、耳掛け紐（52）を巻き付けてマスク本体（51）の上下方向に配置する一対の紐掛けアーム（１）と、該紐掛けアーム（１）の基部（11）に回動可能に軸支すると共に耳に掛けるための一対の耳掛けアーム（２）とから構成し、且つ、一対の耳掛けアーム（２）が、右用アーム（2R）と、左用アーム（2L）とから構成されると共に、右用アーム（2R）の端部（22R）には係止溝（22Ra）を設け、左用アーム（2L）の端部（22L）には、係止溝（22Ra）に係止する係止溝（22La）を設け、更に少なくとも、右用アーム（2R）と左用アーム（2L）の中間部（23R）, (23L）に、長さを可変するための伸縮手段（３）が設けられることにより、請求項１や請求項２と同様な効果が得られると共に、食事の時や重要な面談の時に、一時的に外したマスク（５）をテーブルの上に立てて置くことがより安定して出来ると共にマスク（５）をコンパクトに丸めて立てて置けるものとなるので、ちり紙やハンカチが不要で、且つ、衛生的に対応できる。
【図面の簡単な説明】
【００１６】
【図１】本考案の実施形態を示す説明図である。
【図２】本考案の実施形態の主要部品を示す斜視図である。
【図３】別考案の実施形態を示す説明図である。
【図４】別考案の実施形態の主要部品を示す斜視図である。
【図５】本実施形態の伸縮手段を示す説明図である。
【図６】本実施形態の耳掛けアームが折畳まれた状態を示す説明図である。
【図７】本考案品を用いてマスク本体が立つ状態を示す説明図である。
【考案を実施するための形態】
【００１７】
本考案の実施形態を図１、図２に基づいて説明する。（１）はマスク本体（51）の左右側部に有する耳掛け紐（52）を巻き付けてマスク本体（51）の上下方向に配置する一対の合成樹脂製の紐掛けアームであり、該紐掛けアーム（１）の中央は若干折曲している。この折曲部の突出側はマスク本体（51）の内側に向けて配置する。また前記紐掛けアーム（１）の基部（11）と端部（12）には、耳掛け紐（52）を巻き付けるための溝（11a）,（12a）が設けられ、且つ、紐掛けアーム（１）の基部（11）の中央には挿入穴（11b）が穿設されている。尚、前記紐掛けアーム（１）の中間部（13）に、後述する伸縮手段（３）を図５（ｃ）のように設けた時には、中央を若干折曲させずに直線状に形成し、端部（12）には、曲面状の溝（12a）を設けると良い。
【００１８】
（２）は紐掛けアーム（１）の基部（11）に回動可能に軸支すると共に耳に掛けるための一対の合成樹脂製の耳掛けアームであり、該耳掛けアーム（２）の基部（21）の中央には挿入穴（21a）が穿設されている。また耳掛けアーム（２）の端部（22）が円環状に形成されている。又、耳掛けアーム（２）の中間部（23）が角筒状に形成されており、表面には後述する球体（31）を係合させる穴（23a）が複数個穿設されている。尚、耳掛けアーム（２）は、紐掛けアーム（１）の基部（11）の表側或いは裏側に配置させて、図１に示すように右側用と左側用に区別して取付ける。つまり、組立てる際に、図２に於ける（Ｒ）のように耳掛けアーム（２）を配置させて軸支すると共に右側から軸（４）を挿入すると右側用になり、（Ｌ）のように耳掛けアーム（２）を配置させて軸支すると共に左側から軸（４）を挿入すると左側用になる。
【００１９】
（３）は耳掛けアーム（２）の中間部（23）に設けた伸縮手段であり、該伸縮手段（３）には、前記穴（23a）に係合する球体（31）と、該球体（31）を押すバネ（32）と、バネ抜け防止用の止ネジ（33）とがある。これらは中間部（23）に挿入される耳掛けアーム（２）の基部（21）側の直線部分に内蔵されている［図５（ａ）参照］。又、伸縮手段（３）として、図５（ｂ）に示すように耳掛けアーム（２）の中間部（23）に蟻溝を形成し、その蟻溝に挿入する部分に蟻ホゾを形成させ、且つ、その先端側にネジを設けて置く構造としても良い。いずれにしても耳掛けアーム（２）が伸縮する構造であれば、他の構造でも良い。
図５（ｃ）は紐掛けアーム（１）の中間部（13）に伸縮手段（３）を設けた図である。
【００２０】
（４）は挿入穴（11b）と挿入穴（21a）に挿入して、紐掛けアーム（１）と耳掛けアーム（２）を回動可能に軸支するための軸である（図５、図２参照）。
【００２１】
図３、図４は別考案の実施形態を示す図であり、これは前記実施形態と比べると、耳掛けアーム（２）が、右用アーム（2R）と、左用アーム（2L）を別々に形成されており、紐掛けアーム（１）は同じである。また右用アーム（2R）と左用アーム（2L）には伸縮手段（３）が設けられている。前記右用アーム（2R）の基部（21R）の中央には挿入穴（21Ra）が穿設され、端部（22R）には係止溝（22Ra）を設け、中間部（23R）には蟻溝を形成し、その蟻溝に挿入する部分には蟻ホゾを形成してスライド可能にしている。前記左用アーム（2L）の基部（21L）の中央には挿入穴（21La）が穿設され、端部（22L）には前記係止溝（22Ra）に係止する係止溝（22La）が設けられている。又、左用アーム（2L）の中間部（23L）には蟻溝を形成し、その蟻溝に挿入する部分には蟻ホゾを形成してスライド可能にしている。更に右用アーム（2R）と左用アーム（2L）には、蟻溝に挿入する部分の先端側にはネジが設けられている。
【００２２】
先ず始めに本考案の使用方法について説明する。先ずマスク本体（51）を裏側に載置する。次に紐掛けアーム（１）の折曲された部分を図１に示すようにマスク本体（51）の内側に来るように配置し、耳掛け紐（52）を基部（11）と端部（12）の溝（11a）,（12a）に掛けて巻き付ける。マスク本体（51）の左右側部に本考案品が取付けられた後、耳掛けアーム（２）が紐掛けアーム（１）と略直角になるように回動させる。
その後、耳掛けアーム（２）を耳に掛ければ、マスク（５）の着用が完了する。この時、耳掛けアーム（２）を耳に掛ける動作は、ちょうど眼鏡のツルを耳に掛ける動作と略同じ感覚である。又、マスク本体（51）が顔面にぴったり（ヒット）しない時は、伸縮手段（３）や耳掛けアーム（２）の角度などを調節して顔面にヒットさせる。
【００２３】
次にマスク（５）を外す場合について説明する。先ず耳掛けアーム（２）を耳から外せば、素早く簡単に外れる。その後、耳掛けアーム（２）を折畳んで紐掛けアーム（１）に重ねて略1本にする。この状態でマスク（５）を適宜に収納すれば良い。
【００２４】
次にマスク（５）を立て掛ける場合について説明する。先ずマスク本体（51）を顔面から外し、それを逆さにすると、図７（ａ）に示すようにマスク（５）は立った状態が保持できる。又、図7（ｂ）に示すようにマスク（５）を立たせた状態にする際は、右用アーム（2R）と左用アーム（2L）を、図中状態の下辺から前側に出した後に、係止溝（22Ra）と係止溝（22La）を係止させる。この時のマスク（５）は、使用した面（裏面）が内側に隠れ、周囲との接触が減少できる。更に、支持脚部分が強固になり、それをテーブルなどの上に安定して立て掛けることが簡単にできる。
【００２５】
次に耳掛けアーム（２）の長さを調節する場合を図５に基づいて説明すると、（ａ）の場合は、耳掛けアーム（２）を引張ると、球体（31）は穴（23a）から外れ、適宜位置で止め、一番近い穴（23a）の位置で止めれば、球体（31）はバネ（32）によって押され、穴(23a)に係止するのである。
又、（ｂ）の場合は、挿入部の先端側に取付けたネジを弛め、耳掛けアーム（２）を引張ると、スライド可能になるので、適宜位置で止め、ネジを締めれば挿入部の耳掛けアーム（２）が浮くと共に蟻溝に蟻ホゾが密着して固定される。
更に耳掛けアーム（２）の角度を調節する場合は、紐掛けアーム（１）を固定させて、耳掛けアーム（２）を回動させれば良い。
【符号の説明】
【００２６】
１  紐掛けアーム
11  基部
11a,12a  溝
12  端部
13  中間部
２  耳掛けアーム
21  基部
21a  挿入穴
22  端部
23  中間部
23a  穴
2R  右用アーム
2L  左用アーム
22R, 22L  端部
22Ra, 22La  係止溝
23  中間部
３  伸縮手段
31  球体
32  バネ
33  止ネジ
５  マスク
51  マスク本体
52  耳掛け紐
【図１】
0003229630.tif 000003
【図２】
0003229630.tif 000004
【図３】
0003229630.tif 000005
【図４】
0003229630.tif 000006
【図５】
0003229630.tif 000007
【図６】
0003229630.tif 000008
【図７】
0003229630.tif 000009